(57)【特許請求の範囲】
【請求項１】
交換可能な光ディスクと内蔵のハードディスク装置を用いて情報の記録／再生を行なう情報記録／再生装置において、
前記ハードディスク装置は、磁気ディスクと、該磁気ディスクのデータ信号の書込／読出を行なう第１の書込／読出部と、前記ハードディスク装置の筐体内の温度を検出する温度センサと、前記データ信号の書込のリトライの回数を示す第１の信号と前記温度センサの検出結果を示す第２の信号を出力するモニタ部とを含み、
前記情報記録／再生装置は、
前記光ディスクのデータ信号の書込／読出を行なう第２の書込／読出部と、
前記情報記録／再生装置の筐体内を冷却するための冷却ファン装置と、
前記ハードディスク装置から出力される前記第１および第２の信号を受け、前記第１の信号によって示される前記データ信号の書込のリトライの回数が予め定められた回数を超えた後であって、前記第２の信号によって示される温度が予め定められた温度を超えた場合に前記冷却ファン装置を駆動させる制御部とを備えたことを特徴とする、情報記録／再生装置。  
【請求項２】
交換可能な記録媒体と内蔵のハードディスク装置を用いて情報の記録／再生を行なう情報記録／再生装置において、
前記ハードディスク装置は、データ信号の書込のリトライの回数を示す第１の信号を出力し、
前記情報記録／再生装置は、
前記情報記録／再生装置の筐体内を冷却するための冷却ファン装置と、
前記ハードディスク装置から出力される前記第１の信号に基づいて前記冷却ファン装置を制御する制御部とを備えたことを特徴とする、情報記録／再生装置。  
【請求項３】
前記制御部は、前記第１の信号によって示される前記データ信号の書込のリトライの回数が予め定められた回数を超えた場合に前記冷却ファン装置を駆動させることを特徴とする、請求項２に記載の情報記録／再生装置。
【請求項４】
前記ハードディスク装置は、さらに、内蔵の温度センサの検出結果を示す第２の信号を出力し、
前記制御部は、前記第１の信号によって示される前記データ信号の書込のリトライの回数が予め定められた回数を超えた後であって、前記第２の信号によって示される温度が予め定められた温度を超えた場合に前記冷却ファン装置を駆動させることを特徴とする、請求項３に記載の情報記録／再生装置。
【発明の詳細な説明】
【技術分野】
【０００１】
この発明は情報記録／再生装置に関し、特に、交換可能な光ディスクと内蔵のハードディスク装置を用いて情報の記録／再生を行なう情報記録／再生装置に関する。
【背景技術】
【０００２】
従来よりＤＶＤレコーダ（情報記録／再生装置）では、光ディスクを高速回転させる機構部や内蔵のハードディスク装置などで熱が発生するので、筐体内の過度の温度上昇を防止して装置の長寿命化と信頼性の向上を図るため、筐体内の温度を温度センサで検出し、その検出結果に基づいて冷却ファン装置を制御している（たとえば特許文献１参照）。
【特許文献１】特開２００２−３２４３９１号公報
【発明の開示】
【発明が解決しようとする課題】
【０００３】
しかし、従来のＤＶＤレコーダでは、筐体内の温度を検出するために専用の温度センサを設けていたので、コスト高になっていた。
【０００４】
それゆえに、この発明の主たる目的は、低コストの情報記録／再生装置を提供することである。
【課題を解決するための手段】
【０００５】
この発明に係る情報記録／再生装置は、交換可能な光ディスクと内蔵のハードディスク装置を用いて情報の記録／再生を行なう情報記録／再生装置において、ハードディスク装置は、磁気ディスクと、該磁気ディスクのデータ信号の書込／読出を行なう第１の書込／読出部と、ハードディスク装置の筐体内の温度を検出する温度センサと、データ信号の書込のリトライの回数を示す第１の信号と温度センサの検出結果を示す第２の信号を出力するモニタ部とを含み、情報記録／再生装置は、光ディスクのデータ信号の書込／読出を行なう第２の書込／読出部と、情報記録／再生装置の筐体内を冷却するための冷却ファン装置と、ハードディスク装置から出力される第１および第２の信号を受け、第１の信号によって示されるデータ信号の書込のリトライの回数が予め定められた回数を超えた後であって、第２の信号によって示される温度が予め定められた温度を超えた場合に冷却ファン装置を駆動させる制御部とを備えたことを特徴とするものである。
【発明の効果】
【０００６】
この発明に係る情報記録／再生装置では、ハードディスク装置はデータ信号の書込のリトライの回数を示す第１の信号と内蔵の温度センサの検出結果を示す第２の信号を出力し、制御部は第１の信号によって示されるデータ信号の書込のリトライの回数が予め定められた回数を超えた後であって、第２の信号によって示される温度が予め定められた温度を超えた場合に冷却ファン装置を駆動させる。したがって、ハードディスク装置の出力信号に基づいて冷却ファン装置を制御するので、専用の温度センサを別途設ける必要がなく、低コスト化を図ることができる。また、リトライの回数が所定回数を超えた後であって、温度が所定温度を超えた後に冷却ファン装置を駆動させるので、リトライの回数の増加の原因が温度上昇であることを確認してから冷却ファン装置を駆動させることができ、無駄な電力消費を抑制することができる。
【発明を実施するための最良の形態】
【０００７】
図１は、この発明の一実施の形態によるＤＶＤレコーダの要部を示すブロック図である。図１において、このＤＶＤレコーダは、ハードディスク装置１、光ディスク６、書込／読出部７、操作部８、冷却ファン装置９、および制御部１０を備える。
【０００８】
ハードディスク装置１は、単体の部品として市販されているものであり、直方体状の筐体(図示せず)と、その内部に収容された磁気ディスク２、書込／読出部３、温度センサ４、およびモニタ部５を含む。
【０００９】
書込／読出部３は、磁気ディスク２を回転駆動させるスピンドルモータ、書込／読出を行なうヘッド、該ヘッドを搭載したヘッドアクチュエータ、該ヘッドアクチュエータを駆動するボイスコイルモータ、それらを制御するＣＰＵなどを含む。書込／読出部３は、制御部１０およびモニタ部５から与えられる種々の制御信号に従って、制御部１０を介して与えられるデータ信号を磁気ディスク２に書込むとともに、制御回路１０によって指定されたアドレスのデータ信号を磁気ディスク２から読み出して制御回路１０に与える。
【００１０】
温度センサ４は、ハードディスク装置１の筐体内の所定位置の温度を検出し、検出温度を示す信号をモニタ部５に与える。モニタ部５は、温度センサ４からの信号や、書込／読出部３の動作をモニタし、モニタ結果に基づいて書込／読出部３の動作条件を制御するとともに、モニタ結果を示す信号を制御部１０に与える。モニタ結果を示す信号としては、温度センサ４の検出温度を示す信号や、書込／読出部３のデータ信号の書込のリトライの回数を示す信号がある。
【００１１】
光ディスク６は、ユーザによって容易に交換できるように設けられており、ＤＶＤ−ＲＡＭ（繰返しリードライト可能）、ＤＶＤ−Ｒ（ライトワンス）、ＤＶＤ−ＲＷ（反復書換え可能）などである。
【００１２】
書込／読出部７は、光ディスク６を回転駆動させるスピンドルモータ、書込／読出を行なう光ピックアップ、該光ピックアップを移動させる送りモータなどを含む。書込／読出部７は、制御部１０から与えられる種々の制御信号に従って、制御部１０を介して与えられるデータ信号を光ディスク６に書込むとともに、制御回路１０によって指定されたアドレスのデータ信号を光ディスク６から読み出して制御回路１０に与える。
【００１３】
操作部８は、録画、再生、巻き戻し、早送り、録画予約などを行なうための各種キーを含み、ユーザによって操作されたキーを示す信号を制御部１０に与える。冷却ファン装置９は、ＤＶＤレコーダの筐体内に設けられ、ファン、該ファンを回転させるためのモータ、該モータを駆動させる駆動部などを含む。冷却ファン装置９は、制御部１０によって制御され、ＤＶＤレコーダの筐体内を換気するとともに、発熱部に冷風を送って温度上昇を防止する。
【００１４】
制御部１０は、操作部８からの信号に従って、ハードディスク装置１のデータ信号の書込／読出を行なうとともに、光ディスク６のデータ信号の書込／読出を行ない、映像などの記録／再生を行なう。長時間のタイムシフト録画を行なう場合は大容量で高速のハードディスク装置１を使用し、長期間保存したい番組の録画を行なう場合は交換可能な光ディスク６を使用すると、ハードディスク装置１と光ディスク６の両方の長所を活かすことができる。
【００１５】
また、制御部１０は、ハードディスク装置１のモニタ部５から与えられる書込のリトライの回数を示す信号に基づいて冷却ファン装置９を制御する。すなわち制御部１０は、図２に示すように、ステップＳ１においてリトライの回数が所定回数Ｎ以上であるか否かを判別し、所定回数Ｎ以上である場合はステップＳ２において冷却ファン装置９をＯＮして発熱部への送風を開始し、所定回数Ｎ以上でない場合はステップＳ３において冷却ファン装置９をＯＦＦして発熱部への送風を停止する。これは、ハードディスク装置１内の温度が上昇すると磁気ディスク２の磁気特性が劣化し、書込のリトライの回数が増加することを利用したものである。
【００１６】
したがって、ＤＶＤレコーダの筐体内の温度が過度に上昇することを防止することができ、装置の長寿命化と信頼性の向上を図ることができる。また、ハードディスク装置１の出力信号に基づいて冷却ファン装置９を制御するので、筐体内の温度を検出するために専用の温度センサを設けていた従来に比べ、装置コストの低減化を図ることができる。
【００１７】
図３は、この実施の形態の変更例を示すフローチャートである。この変更例では、制御部１０は、温度センサ４からモニタ部５を介して与えられるハードディスク装置１の筐体内の温度を示す信号と、モニタ部５から与えられるリトライの回数を示す信号とに基づいて冷却ファン装置９を制御する。すなわち制御部１０は、ステップＳ１１においてリトライの回数が所定回数Ｎ以上であるか否かを判別し、所定回数Ｎ以上である場合はステップＳ１２において温度センサ４の検出温度Ｔが６５℃以上であるか否かを判別し、６５℃以上である場合はステップＳ１３において冷却ファン装置９をＯＮして発熱部への送風を開始する。ステップＳ１１においてリトライの回数が所定回数Ｎ以上でない場合や、ステップＳ１２において検出温度Ｔが６５℃以上でない場合はステップＳ１４において冷却ファン装置９をＯＦＦして発熱部への送風を停止する。この変更例では、実施の形態と同じ効果が得られる他、リトライの回数が増加した原因が温度上昇であることを確認してから冷却ファン装置９をＯＮすることができ、無駄な電力消費を抑制することができる。
【００１８】
なお、この実施の形態では、この発明がＤＶＤレコーダに適用された場合について説明したが、この発明は、交換可能な記録媒体と内蔵のハードディスク装置を用いて情報の記録／再生を行なう、いかなる情報記録／再生装置、たとえばパーソナルコンピュータにも適用可能であることは言うまでもない。交換可能な記録媒体は、光ディスクに限らず、大容量半導体メモリ、磁気ディスク、ビデオテープでもよい。
【００１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２０】
【図１】この発明の一実施の形態によるＤＶＤレコーダの要部を示すブロック図である。
【図２】図１に示した制御部の動作を示すフローチャートである。
【図３】この実施の形態の変更例を示すフローチャートである。
【符号の説明】
【００２１】
１  ハードディスク装置、２  磁気ディスク、３，７  書込／読出部、４  温度センサ、５  モニタ部、６  光ディスク、８  操作部、９  冷却ファン装置、１０  制御部。
【図１】
0004604892.tif 000002
【図２】
0004604892.tif 000003
【図３】
0004604892.tif 000004